(57)【要約】【課題】簡単操作で所望デバイスに対応した対応データフォーマットのデータを記録することが可能な記録制御装置を提供すること。【解決手段】実施形態の記録制御装置は、設定手段と、制御手段とを備える。前記設定手段は、デバイスの指定に対応して、前記デバイスに対応した対応データフォーマットを設定する。前記制御手段は、前記対応データフォーマットにより入力データを記録するように制御する。【選択図】図３
2012023685.tif 000002
【特許請求の範囲】
【請求項１】
デバイスの指定に対応して、前記デバイスに対応した対応データフォーマットを設定する設定手段と、
前記対応データフォーマットにより入力データを記録するように制御する制御手段と、
を備えた記録制御装置。
【請求項２】
標準データフォーマットにより記録された記録データを再生する再生手段を備え、
前記設定手段は、前記標準データフォーマット及び前記対応データフォーマットを設定し、
前記制御手段は、前記標準データフォーマット及び前記対応データフォーマットにより前記入力データを記録するように制御する請求項１に記載の記録制御装置。
【請求項３】
前記制御手段の記録制御に基づき、前記対応データフォーマットにより入力データを記録する記録手段を備えた請求項１に記載の記録制御装置。
【請求項４】
前記制御手段は、前記対応データフォーマットにより映像ストリームデータを記録するように制御する請求項１に記載の記録制御装置。
【請求項５】
前記設定手段は、前記指定デバイスで再生可能な前記対応データフォーマットを検索し、前記対応データフォーマットを設定する請求項１に記載の記録制御装置。
【請求項６】
前記設定手段は、データフォーマット選択条件に基づき、前記指定デバイスで再生可能な複数の候補データフォーマットの中から前記対応データフォーマットを選択し、選択した前記対応データフォーマットを設定する請求項１に記載の記録制御装置。
【請求項７】
前記設定手段は、前記指定デバイスで再生可能な複数の候補データフォーマットに関する情報を出力し、前記複数の候補データフォーマットの中から選択された前記対応データフォーマットを設定する請求項１に記載の記録制御装置。
【請求項８】
前記制御手段は、前記標準データフォーマットにより前記入力データを記録するように制御し、前記標準データフォーマットによる前記入力データの記録完了後に、前記対応データフォーマットにより前記入力データを記録するように制御する請求項２に記載の記録制御装置。
【請求項９】
デバイスの指定に対応して、前記デバイスに対応した対応データフォーマットを設定し、
前記対応データフォーマットにより入力データを記録するように制御する記録制御方法。
【発明の詳細な説明】
【技術分野】
【０００１】
本発明の実施形態は、入力データを記録するように制御する記録制御装置及び記録制御方法に関する。
【背景技術】
【０００２】
近年、デジタルテレビ放送を記録したり再生したりすることが可能な記録再生装置が普及している。この記録再生装置は、ハードディスクドライブ（ＨＤＤ）又はDigital Versatile Disk（ＤＶＤ）等に対してデジタルテレビ放送を記録することができる。
【０００３】
さらに、ＳＤメモリカード等のカード型記憶媒体に対してデジタルテレビ放送を記録することが可能な記録再生装置も登場している。この記録再生装置によりＳＤメモリカードに対して映像コンテンツを記録することにより、ＳＤメモリカードに対応した携帯端末等の外部デバイスでＳＤメモリカードに記録された映像コンテンツを再生することが可能となる。
【先行技術文献】
【特許文献】
【０００４】
【特許文献１】特開２００７−２７４５６２号公報
【発明の概要】
【発明が解決しようとする課題】
【０００５】
上記した記録再生装置は、予め指定された指定データフォーマットでＳＤメモリカードに対して映像コンテンツを記録する。外部デバイスが、上記指定データフォーマットに対応していない場合、外部デバイスは、ＳＤメモリカードに記録された映像コンテンツを再生することはできない。
【０００６】
上記したような事態を回避するために、例えば、ユーザは、外部デバイスに対応した対応データフォーマットを調べ、記録再生装置に対して、対応データフォーマットでＳＤメモリカードに映像コンテンツを記録するように設定する。ユーザにとって、上記設定作業は煩わしい。また、データフォーマットについて詳しくないユーザにとって、上記設定作業は難しい。
【０００７】
本発明の目的は、簡単操作で所望デバイスに対応した対応データフォーマットのデータを記録することが可能な記録制御装置及び記録制御方法を提供することにある。
【課題を解決するための手段】
【０００８】
実施形態の記録制御装置は、設定手段と、制御手段とを備える。前記設定手段は、デバイスの指定に対応して、前記デバイスに対応した対応データフォーマットを設定する。前記制御手段は、前記対応データフォーマットにより入力データを記録するように制御する。
【図面の簡単な説明】
【０００９】
【図１】デバイス対応フォーマット選択ＯＳＤ画面の一例を示す図である。
【図２】第１の対応データフォーマットの設定処理の一例を示すフローチャートである。
【図３】標準データフォーマット及び対応データフォーマットの両方でコンテンツデータを記録する第２のデータ記録処理の一例を示すフローチャートである。
【図４】対応テーブルの一例を示す図である。
【図５】第１〜第４の実施形態に共通の映像記録再生装置（記録制御装置）の概略構成を示すブロック図である。
【発明を実施するための形態】
【００１０】
以下、第１〜第４の実施形態について図面を参照して説明する。
【００１１】
図５は、第１〜第４の実施形態に共通の映像記録再生装置（記録制御装置）の概略構成を示すブロック図である。第１〜第４の実施形態では、映像記録再生装置によるデバイス対応記録処理について説明する。しかしながら、本発明は、映像記録再生装置によるデバイス対応記録処理に限定されるものではない。例えば、第１〜第４の実施形態で説明するデバイス対応記録処理は、記録機能を備えたデジタル放送受信装置（デジタルＴＶ）にも適用できる。
【００１２】
図５に示すように、映像記録再生装置１は、ユーザ操作入力部１０１、信号受光部１０２、通信部１０３、制御モジュール（ＣＰＵ）１０４、チューナ部１０５、メモリ部１０６、ＯＳＤ制御モジュール１０７、記録再生信号処理モジュール１０８、合成処理モジュール１０９、ディスクドライブ部１１０、ハードディスクドライブ部１１１、メディアインターフェース１１２を備えている。
【００１３】
制御モジュール１０４は、番組の記録動作及び再生動作を制御する。また、制御モジュール１０４は、後述するデバイス対応記録処理の実行を制御する。通信部１０３は、ネットワーク２０１を介して、サーバ２０２と接続し、サーバ２０２に対して各種情報を送信したり、サーバ２０２から各種情報を受信したりすることができる。チューナ部１０５は、指定されたチャンネルの放送信号を選択し、選択した放送信号を記録再生信号処理モジュール１０８へ入力する。
【００１４】
記録処理が指定されている場合、記録再生信号処理モジュール１０８は、放送信号に対応した番組コンテンツデータ（映像信号及び音声信号）をディスクドライブ部１１０、ハードディスクドライブ部１１１、及びメディアインターフェース１１２のうちの少なくとも一つへ入力する。
【００１５】
ディスクドライブ部１１０は、記録先のメディアに対応した標準データフォーマット（デフォルトデータフォーマット）で、入力された番組コンテンツデータをＤＶＤ又はＢＤ（Blu-ray）（登録商標）等の光ディスクＤへ記録する。つまり、ディスクドライブ部１１０は、ＤＶＤに番組コンテンツデータを記録する場合には、ＤＶＤの規格に対応した所定のデータフォーマット（標準データフォーマット）で番組コンテンツデータをＤＶＤへ記録し、ＢＤに番組コンテンツデータを記録する場合には、ＢＤの規格に対応した所定のデータフォーマット（標準データフォーマット）で番組コンテンツデータをＢＤへ記録する。
【００１６】
同様に、ハードディスクドライブ部１１１は、記録先のメディアに対応した標準データフォーマット（デフォルトデータフォーマット）で、入力された番組コンテンツデータをハードディスクへ記録する。
【００１７】
メディアインターフェース１１２は、デバイス対応記録処理に従い、デバイス対応データフォーマットで、入力された番組コンテンツデータをメディア（例えばＳＤカード３０１）へ記録する。デバイス対応記録処理については後に詳しく説明する。
【００１８】
例えば、携帯端末３０２は、ＳＤカード３０１用のメディアスロットを備え、携帯端末３０２は、１又は複数のデータフォーマットをサポートしている。以下、携帯端末３０２がサポートしているデータフォーマットをサポートデータフォーマットと称する。つまり、携帯端末３０２は、ＳＤカード３０１に記録されたサポートデータフォーマットの番組コンテンツデータを再生することができるが、ＳＤカード３０１に記録された非サポートデータフォーマットの番組コンテンツデータを再生することはできない。
【００１９】
再生処理が指定されている場合、記録再生信号処理モジュール１０８は、放送信号に対応した番組コンテンツデータを、合成処理モジュール１０９を介して、スピーカ等を備えた映像表示装置Ｍ（デジタルＴＶ）へ出力する。
【００２０】
続いて、リモートコントローラ１０２ａを介した各種操作の一例について説明する。ユーザ操作入力部１０１を介した各種操作は、リモートコントローラ１０２ａを介した各種操作と実質的に同一であるため、その説明は省略する。
【００２１】
リモートコントローラ１０２ａは、複数のキーを備え、これらキーを介して入力された指示を送信する。信号受光部１０２は、リモートコントローラ１０２ａからの指示を受信し、制御モジュール１０４へ通知する。
【００２２】
以下、デバイス対応記録処理について説明する。
【００２３】
（第１の実施形態）
最初に、図１及び図２を参照し、デバイスの指定処理について説明し、さらに、デバイスの指定に対応した第１の対応データフォーマットの設定処理について説明する。図１は、デバイス対応フォーマット選択ＯＳＤ画面の一例を示す図である。図２は、第１の対応データフォーマットの設定処理の一例を示すフローチャートである。
【００２４】
例えば、ユーザのリモートコントローラ１０２ａの操作に対応して、リモートコントローラ１０２ａが、デバイス対応フォーマット選択ＯＳＤ画面の表示指示を送信すると、制御モジュール１０４は、信号受光部１０２を介して、デバイス対応フォーマット選択ＯＳＤ画面の表示指示を受け取り、画面生成モジュール１０４１が、デバイス対応フォーマット選択ＯＳＤ画面の生成を制御する。
【００２５】
画面生成モジュール１０４１は、メモリ部１０６に記憶されたデバイス対応フォーマット選択ＯＳＤ画面生成情報に基づき、デバイス対応フォーマット選択ＯＳＤ画面の生成を制御する。なお、通信部１０３は、ネットワーク２０１経由でサーバ２０２から、最新のデバイス対応フォーマット選択ＯＳＤ画面生成情報をダウンロードすることができる。これにより、メモリ部１０６は、最新のデバイス対応フォーマット選択ＯＳＤ画面生成情報を蓄積することができる。
【００２６】
画面表示・選択受付モジュール１０４２は、デバイス対応フォーマット選択ＯＳＤ画面の表示を制御し、ＯＳＤ制御モジュール１０７は、デバイス対応フォーマット選択ＯＳＤ画面生成情報に基づき、デバイス対応フォーマット選択ＯＳＤ画面を生成し、デバイス対応フォーマット選択ＯＳＤ画面を合成処理モジュール１０９へ出力する。合成処理モジュール１０９は、ＯＳＤ制御モジュール１０７のＯＳＤ制御に基づき、デバイス対応フォーマット選択ＯＳＤ画面の映像だけを出力することもできるし、所定番組の映像上にデバイス対応フォーマット選択ＯＳＤ画面の映像を重ねた映像を出力することもできるし、所定番組の映像とデバイス対応フォーマット選択ＯＳＤ画面の映像とを出力することもできる。これにより、映像表示装置Ｍは、デバイス対応フォーマット選択ＯＳＤ画面を表示する。
【００２７】
図１に示すように、デバイス対応フォーマット選択ＯＳＤ画面には、デバイスの種類、デバイスのメーカ名、デバイスの型番等の項目が含まれる。例えば、初期状態において、デバイス対応フォーマット選択ＯＳＤ画面には、デバイスの種類の一覧が表示される。このデバイス一覧表示の中から、リモートコントローラ１０２ａを介して、所定デバイスが選択されると、画面表示・選択受付モジュール１０４２が、所定デバイスの選択を受け付け、続いて、デバイス対応フォーマット選択ＯＳＤ画面には、選択された所定デバイスのメーカ名の一覧が表示される。メーカ名一覧表示の中から、リモートコントローラ１０２ａを介して、所定メーカ名が選択されると、画面表示・選択受付モジュール１０４２は、所定メーカ名の選択を受け付け、続いて、デバイス対応フォーマット選択ＯＳＤ画面には、所定デバイスの所定メーカ名の型番の一覧が表示される。型番一覧表示の中から、リモートコントローラ１０２ａを介して、所定の型番が選択されると、画面表示・選択受付モジュール１０４２は、所定の型番の選択を受け付け、デバイスの指定が完了する（ＳＴ１０１）。
【００２８】
次に、対応フォーマット登録モジュール１０４３は、メモリ部１０６に記憶された対応テーブルを参照し、指定されたデバイス（型番）に対応した対応データフォーマットを検索し、指定されたデバイス（型番）に対応した対応データフォーマットを設定する（ＳＴ１０２、ＹＥＳ）（ＳＴ１０３）。
【００２９】
図４は、対応テーブルの一例を示す図である。図４に示すように、例えば端末Ａ（型番Ａ）とフォーマットＡとが対応付けられ、端末Ｂ（型番Ｂ）とフォーマットＢとが対応付けられ、端末Ｃ（型番Ｃ）とフォーマットＣとが対応付けられている。つまり、端末Ａ（デバイスＡ）は、フォーマットＡをサポートし、端末Ｂ（デバイスＢ）は、フォーマットＢをサポートし、端末Ｃ（デバイスＣ）は、フォーマットＣをサポートしている。
【００３０】
よって、指定されたデバイス（型番）が端末Ａ（デバイスＡ）である場合には、対応フォーマット登録モジュール１０４３は、メモリ部１０６に記憶された対応テーブルを参照し、フォーマットＡを設定する。指定されたデバイス（型番）が端末Ｂ（デバイスＢ）である場合には、対応フォーマット登録モジュール１０４３は、メモリ部１０６に記憶された対応テーブルを参照し、フォーマットＢを設定する。指定されたデバイス（型番）が端末Ｃ（デバイスＣ）である場合には、対応フォーマット登録モジュール１０４３は、メモリ部１０６に記憶された対応テーブルを参照し、フォーマットＣを設定する。
【００３１】
なお、メモリ部１０６が対応テーブルを記憶していない場合（ＳＴ１０２、ＮＯ）、又は、メモリ部１０６に記憶された対応テーブルが古くなっている場合（対応テーブルが、所定期間より長い間、更新されていない場合）には、拡張テーブル取得モジュール１０４４は、通信部１０３を介して、サーバ２０２から対応テーブル（拡張テーブル）をダウンロードし（ＳＴ１０４）、メモリ部１０６の対応テーブルを最新の対応テーブルへ更新する。これにより、対応フォーマット登録モジュール１０４３は、メモリ部１０６に記憶された最新の対応テーブルを参照し、指定されたデバイス（型番）に対応した対応データフォーマットを検索し、設定することができる（ＳＴ１０３）。
【００３２】
或いは、メモリ部１０６が対応テーブルを記憶していない場合（ＳＴ１０２、ＮＯ）、対応フォーマット登録モジュール１０４３は、デフォルトフォーマットを設定する（ＳＴ１０４）。
【００３３】
なお、上記説明では、指定されたデバイスに対応した対応データフォーマットが一つのケースについて説明したが、指定されたデバイスに対応した対応データフォーマットが複数であってもよい。
【００３４】
続いて、対応データフォーマットによる第１のデータ記録処理について説明する。
【００３５】
ユーザの番組記録の指示に対応して、制御モジュール１０４は、対応データフォーマットによる第１のデータ記録処理を実行する。つまり、対応フォーマットデータ記録・出力モジュール１０４５は、対応データフォーマットで入力データ（映像ストリームデータ）を記録するように制御する。よって、ユーザが、上記したように事前にデバイス（例えば携帯端末３０２）を指定するだけで、対応フォーマットデータ記録・出力モジュール１０４５は、指定したデバイス（例えば携帯端末３０２）がサポートする対応データフォーマットで、指定したメディア（ＳＤカード３０１）に対してコンテンツデータを記録するように制御する。
【００３６】
これに対応して、記録再生信号処理モジュール１０８は、コンテンツデータを対応データフォーマットへ変換し、例えば、ＳＤカード３０１に対して、対応データフォーマットのコンテンツデータ出力する。よって、ＳＤカード３０１には、対応データフォーマットのコンテンツデータが記録される。
【００３７】
例えば、ユーザは、ＳＤカード３０１を携帯端末３０２に装填するだけで、携帯端末３０２によりＳＤカード３０１に記録されたコンテンツデータ（対応データフォーマットのコンテンツデータ）を確実に視聴することができる。
【００３８】
上記説明では、ＳＤカード３０１に、対応データフォーマットのコンテンツデータを記録するケースについて説明したが、ハードディスクに、対応データフォーマットのコンテンツデータを記録するようにしてもよい。この場合、例えば、映像記録再生装置１と携帯端末３０２とをＵＳＢ等で接続し、映像記録再生装置１のハードディスク上に記録された対応データフォーマットのコンテンツデータを、ドラッグアンドドロップ等の操作で、映像記録再生装置１から携帯端末３０２へコピー又は移動することができる。
【００３９】
この場合でも、ユーザは、ドラッグアンドドロップ等の簡単操作で、携帯端末３０２によりコンテンツデータ（対応データフォーマットのコンテンツデータ）を確実に視聴することができる。
【００４０】
なお、上記説明では、記録再生信号処理モジュール１０８が、コンテンツデータを一つの対応データフォーマットへ変換し、変換された対応データフォーマットのコンテンツデータを記録するケースについて説明した。これ以外に、複数の対応データフォーマットが設定されている場合には、記録再生信号処理モジュール１０８は、コンテンツデータを複数の対応データフォーマットへ変換し、変換された複数の対応データフォーマットのコンテンツデータを記録することもできる。
【００４１】
なお、コンテンツデータを標準データフォーマット（デフォルトデータフォーマット）で記録した後、デバイスの指定処理及び第１の対応データフォーマットの設定処理を経て、第１のデータ記録処理を実行するようにしてもよい。つまり、ユーザの番組記録の指示に対応して、制御モジュール１０４は、コンテンツデータを標準データフォーマット（第１のデータフォーマット）で記録するように制御する。これに対応して、例えば、ハードディスクドライブ部１１１は、ハードディスクに対して、標準データフォーマットのコンテンツデータを記録する。その後、デバイスの指定処理が実行されると、第１の対応データフォーマットの設定処理が実行され、第１のデータ記録処理が実行され、ハードディスクに記録された標準データフォーマット（第１のデータフォーマット）のコンテンツデータが対応データフォーマット（第２のデータフォーマット）のコンテンツデータへ変換され記録される。
【００４２】
（第２の実施形態）
第１の実施形態では、対応データフォーマットでコンテンツデータを記録する第１のデータ記録処理について説明した。第２の実施形態では、標準データフォーマット（第１のデータフォーマット）及び対応データフォーマット（第２のデータフォーマット）の両方でコンテンツデータを記録する第２のデータ記録処理について説明する。図３は、標準データフォーマット及び対応データフォーマットの両方でコンテンツデータを記録する第２のデータ記録処理の一例を示すフローチャートである。
【００４３】
図３に示すように、ユーザの番組記録の指示に対応して、制御モジュール１０４は、標準データフォーマット及び対応データフォーマットによる第２のデータ記録処理を実行する。つまり、対応フォーマットデータ記録・出力モジュール１０４５は、標準データフォーマット及び対応データフォーマットで入力データ（コンテンツデータ）を記録するように制御する。よって、ユーザが、上記したように事前にデバイス（例えば携帯端末３０２）を指定するだけで、対応フォーマットデータ記録・出力モジュール１０４５は、標準データフォーマットで、指定したメディア（例えばハードディスク）に対してコンテンツデータを記録するように制御するとともに、指定したデバイス（例えば携帯端末３０２）がサポートする対応データフォーマットで、指定したメディア（例えばハードディスク或いはＳＤカード３０１）に対してコンテンツデータを記録するように制御する。
【００４４】
これに対応して、記録再生信号処理モジュール１０８は、コンテンツデータを標準データフォーマットへ変換し、例えば、ハードディスクドライブ部１１１が、標準データフォーマットのコンテンツデータをハードディスクへ記録し、さらに、記録再生信号処理モジュール１０８は、コンテンツデータを対応データフォーマットへ変換し、例えば、ハードディスクドライブ部１１１が、対応データフォーマットのコンテンツデータをハードディスクへ記録する（ＳＴ３０１）（ＳＴ３０２）。
【００４５】
或いは、記録再生信号処理モジュール１０８は、コンテンツデータを標準データフォーマットへ変換し、例えば、ハードディスクドライブ部１１１が、標準データフォーマットのコンテンツデータをハードディスクへ記録し、さらに、記録再生信号処理モジュール１０８は、コンテンツデータを対応データフォーマットへ変換し、対応データフォーマットのコンテンツデータをＳＤカード３０１へ出力する。
【００４６】
対応データフォーマットのコンテンツデータがハードディスクに記録されている場合、例えば、ユーザによるデータ転送指示に対応して、記録再生信号処理モジュール１０８は、ハードディスクに記録された対応データフォーマットのコンテンツデータをＳＤカード３０１へ転送する（ＳＴ３０３）。よって、ハードディスクには、標準データフォーマットのコンテンツデータが記録され、ＳＤカード３０１には、対応データフォーマットのコンテンツデータが記録される。なお、記録再生処理モジュール１０８は、少なくとも、標準データフォーマットにより記録された記録データを再生することができるものとする。
【００４７】
例えば、ユーザは、ＳＤカード３０１を携帯端末３０２に装填するだけで、携帯端末３０２によりＳＤカード３０１に記録されたコンテンツデータ（対応データフォーマットのコンテンツデータ）を確実に視聴することができる（ＳＴ３０４）。しかも、映像記録再生装置１でも、ハードディスクドライブに記録されたコンテンツデータ（標準データフォーマットのコンテンツデータ）を視聴することができる。
【００４８】
（第３の実施形態）
第２の実施形態では、標準データフォーマット（第１のデータフォーマット）及び対応データフォーマット（第２のデータフォーマット）の両方でコンテンツデータを記録する第２のデータ記録処理について説明した。第３の実施形態では、標準データフォーマット（第１のデータフォーマット）及び対応データフォーマット（第２のデータフォーマット）の両方でコンテンツデータを同じタイミングで記録する第３のデータ記録処理、さらに、標準データフォーマット（第１のデータフォーマット）及び対応データフォーマット（第２のデータフォーマット）の両方でコンテンツデータを異なるタイミングで記録する第４のデータ記録処理について説明する。
【００４９】
上記したように、制御モジュール１０４は、標準データフォーマット及び対応データフォーマットによる第３のデータ記録処理を実行する。例えば、対応フォーマットデータ記録・出力モジュール１０４５は、標準データフォーマット及び対応データフォーマットの両方でコンテンツデータを同じタイミングで記録するように制御する。これにより、コンテンツデータの記録終了後、即座に、対応データフォーマットのコンテンツデータを利用することが可能となる。
【００５０】
或いは、制御モジュール１０４は、標準データフォーマット及び対応データフォーマットによる第４のデータ記録処理を実行する。例えば、対応フォーマットデータ記録・出力モジュール１０４５は、標準データフォーマット及び対応データフォーマットの両方でコンテンツデータを異なるタイミングで記録するように制御する。例えば、対応フォーマットデータ記録・出力モジュール１０４５は、標準データフォーマットによるコンテンツデータの記録を優先し、標準データフォーマットによるコンテンツデータの記録が完了した後で、対応データフォーマットによるコンテンツデータの記録を実行する。例えば、対応フォーマットデータ記録・出力モジュール１０４５は、指定された時間帯（深夜時間帯）に、対応データフォーマットによるコンテンツデータの記録を実行する。これにより、記録再生処理モジュール１０８等の処理能力が低くても、複数の対応データフォーマットでコンテンツデータを記録することが可能となる。また、記録再生処理モジュール１０８が、標準データフォーマットのコンテンツデータを記録している間、処理能力に余裕ができるため、他のコンテンツデータを再生するなどの並行処理が可能となる。
【００５１】
上記以外に、以下のように、対応データフォーマットのコンテンツデータを用意することもできる。例えば、制御モジュール１０４が、新たなコンテンツデータ（標準データフォーマットのコンテンツデータ）の追加記録等を検知すると、対応フォーマットデータ記録・出力モジュール１０４５が、新たなコンテンツデータに対応した対応データフォーマットのコンテンツデータを生成し記録するようにしてもよい。これにより、全てのコンテンツデータについて、標準データフォーマットと、対応データフォーマットとが用意されることになり、便利である。
【００５２】
（第４の実施形態）
第１の実施形態では、デバイスの指定に対応した第１の対応データフォーマットの設定処理について説明した。第４の実施形態では、デバイスの指定及びデータフォーマット指定に対応した第２の対応データフォーマットの設定処理について説明する。
【００５３】
例えば、図１に示すデバイス対応フォーマット選択ＯＳＤ画面を介して、デバイスＡが指定された場合であって、デバイスＡが、フォーマットＡ１及びフォーマットＡ２をサポートしている場合、デバイス対応フォーマット選択ＯＳＤ画面には、複数の候補データフォーマット（フォーマットＡ１及びフォーマットＡ２）の中から、一つの対応データフォーマットを選択するための選択項目が表示される。ユーザが、フォーマットＡ１を選択すれば、画面表示・選択受付モジュール１０４２は、フォーマットＡ１の選択を受け付け、対応フォーマット登録モジュール１０４３は、フォーマットＡ１を設定する。また、ユーザが、フォーマットＡ２を選択すれば、画面表示・選択受付モジュール１０４２は、フォーマットＡ２の選択を受け付け、対応フォーマット登録モジュール１０４３は、フォーマットＡ２を設定する。これにより、一つのデバイスが複数のデータフォーマットをサポートしている場合に（一つのデバイスが複数のデータフォーマットのデータを再生可能な場合に）、ユーザの好みに合わせた対応データフォーマットの設定が可能となる。
【００５４】
なお、対応フォーマット登録モジュール１０４３が、フォーマットＡ１及びフォーマットＡ２のどちらか一方を優先的（自動的）に設定するようにしてもよい。つまり、ユーザが、デバイスＡを指定し、デバイスＡがフォーマットＡ１及びフォーマットＡ２をサポートしている場合であっても、対応フォーマット登録モジュール１０４３が、フォーマットＡ１及びフォーマットＡ２のどちらか一方を優先的（自動的）に設定する。
【００５５】
上記説明した第１〜第４の実施形態によれば、ユーザは、ＧＵＩ画面上でデバイスを指定するだけで、映像記録再生装置１は、指定されたデバイスに対応した対応データフォーマットを設定し、コンテンツデータを対応データフォーマットへ変換し、対応データフォーマットのコンテンツデータを記録する。つまり、映像記録再生装置１は、コンテンツデータを指定データフォーマットへ変換して記録するというものではなく、コンテンツデータを指定デバイスに対応した対応データフォーマットへ変換して記録するというものである。仮に、ユーザがデータフォーマットに関する知識が乏しくても、ユーザが使用しようとするデバイスに対応した対応データフォーマットのデータを得ることができる。
【００５６】
上記説明した第１〜第４の実施形態では、映像記録再生装置１によるトランスコードについて説明した。しかしながら、例えば、映像記録再生装置１は、ＢＳ／ＣＳ放送のＭＰＥＧ２のコンテンツデータを、スマートフォン用のＭＰＥＧ４ＡＶＣのコンテンツデータへ再エンコードすることもできる。
【００５７】
以下、第１〜第４の実施形態についてまとめる。
【００５８】
（１）映像記録再生装置１は、同じタイミングで、コンテンツデータを、標準データフォーマット（第１のデータフォーマット）と、指定デバイスに対応した対応データフォーマット（第２のデータフォーマット）に変換し、同じタイミングで、標準データフォーマットのコンテンツデータと、対応データフォーマットのコンテンツデータとを記録することができる。
【００５９】
（２）映像記録再生装置１は、所定のイベントに基づき異なるタイミングで、コンテンツデータを、標準データフォーマット（第１のデータフォーマット）と、指定デバイスに対応した対応データフォーマット（第２のデータフォーマット）に変換し、所定のイベントに基づき異なるタイミングで、標準データフォーマットのコンテンツデータと、対応データフォーマットのコンテンツデータとを記録することができる。
【００６０】
以上により、例えば、ユーザがスマートフォンを所有している場合、ユーザは、映像記録再生装置１に対してこのスマートフォンを指定するだけで、このスマートフォンで再生可能な対応データフォーマットのコンテンツデータを得ることができる。つまり、映像記録再生装置１は、指定されたスマートフォンがサポートしている対応データフォーマットでコンテンツデータを記録する。映像記録再生装置１により記録された対応データフォーマットのコンテンツデータは、有線、無線、記録メディアを介して、スマートフォンへ移動することができる。これにより、スマートフォンで確実にコンテンツデータを視聴することができる。
【００６１】
なお、上記したモジュールとは、ハードウェアで実現するものであっても良いし、ＣＰＵ等を使ってソフトウェアで実現するものであってもよい。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…映像記録再生装置、１０１…ユーザ操作入力部、１０２…信号受光部、１０３…通信モジュール、１０４…制御モジュール、１０５…チューナ部、１０６…メモリ部、１０７…ＯＳＤ制御モジュール、１０８…記録再生信号処理モジュール、１０９…合成処理モジュール、１１０…ディスクドライブ部、１１１…ハードディスクドライブ部、メディアインターフェース１１２
【図１】
2012023685.tif 000003
【図２】
2012023685.tif 000004
【図３】
2012023685.tif 000005
【図４】
2012023685.tif 000006
【図５】
2012023685.tif 000007
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
デバイス指定に基づき、前記デバイスに対応した対応データフォーマットを設定する設定手段と、
前記対応データフォーマットに基づき入力データを記録する制御手段と、
を備えた記録制御装置。
【請求項２】
標準データフォーマットの記録データを再生する再生手段を備え、
前記設定手段は、前記標準データフォーマットを設定し、
前記制御手段は、前記標準データフォーマットに基づき前記入力データを記録する請求項１に記載の記録制御装置。
【請求項３】
前記制御手段に基づき、前記対応データフォーマットの入力データを記録する記録手段を備えた請求項１に記載の記録制御装置。
【請求項４】
前記制御手段は、前記対応データフォーマットに基づき映像ストリームデータを記録する請求項１に記載の記録制御装置。
【請求項５】
前記設定手段は、前記指定デバイスが再生可能な前記対応データフォーマットを決定する請求項１に記載の記録制御装置。
【請求項６】
前記設定手段は、データフォーマット選択条件に基づき、前記指定デバイスが再生可能な複数の候補データフォーマットの中から前記対応データフォーマットを選択する請求項１に記載の記録制御装置。
【請求項７】
前記設定手段は、前記指定デバイスが再生可能な複数の候補データフォーマットに関する情報を出力し、前記複数の候補データフォーマットの中から選択された前記対応データフォーマットを設定する請求項１に記載の記録制御装置。
【請求項８】
前記制御手段は、前記標準データフォーマットにより前記入力データを記録し、前記標準データフォーマットに基づく前記入力データの記録完了後に、前記対応データフォーマットに基づき前記入力データを記録する請求項２に記載の記録制御装置。
【請求項９】
デバイスの指定に対応して、前記指定デバイスに対応した対応データフォーマットを設定し、
前記対応データフォーマットに基づき入力データを記録するように制御する記録制御方法。